(57)【要約】【課題】複数の録画サブユニットと制御機器が通信回線で接続された録画システムにおいて、ユーザーが制御機器を通じて複数の録画サブユニットに対し同時録画または連続録画を設定する場合の負担を軽減して、操作を効率化する。【解決手段】制御機器に接続されている複数の録画サブユニットをＧＵＩ画面４０上に接続機器一覧表４１として表示して、その中からユーザーに録画する録画サブユニットを選択させ（４７ａ、４７ｂ）、さらにＧＵＩ画面４０上の録画オプション４３から同時録画４３ａか連続録画４３ｂか選択させる。制御機器は、録画オプション４３から選択された同時録画４３ａまたは連続録画４３ｂの指示にしたがって、選択された録画サブユニットとの間で伝送経路を確立する。【選択図】  図４
2004222057.tif 000002
【特許請求の範囲】
【請求項１】
複数のターゲット側機器と通信回線で接続された制御機器において、
前記複数のターゲット側機器に搭載されている録画サブユニットの一覧を画面上に表示する録画サブユニット表示手段と、
前記録画サブユニット表示手段によって画面上に表示された前記録画サブユニットの一覧から操作対象となる録画サブユニットの選択を受け付ける録画サブユニット選択手段と、
前記録画サブユニット選択手段を通じて選択された録画サブユニットに対し同時に録画を実行させる同時録画か、前記録画サブユニット選択手段を通じて選択された録画サブユニットに対し選択された順に録画を実行させる連続録画かの選択を受け付ける録画オプション選択手段と、
前記録画サブユニット選択手段を通じて選択された同時録画か連続録画かに応じて録画サブユニットのデータの伝送路を確立する伝送路確立手段と、
を備えることを特徴とする制御機器。
【請求項２】
複数のターゲット側機器と制御機器が通信回線で接続された録画システムにおける録画方法において、
前記複数のターゲット側機器に搭載されている録画サブユニットの一覧を画面上に表示する録画サブユニット表示ステップと、
前記表示された録画サブユニットの一覧から操作対象となる録画サブユニットの選択を受け付ける録画サブユニット選択ステップと、
前記選択された録画サブユニットに対し同時に録画を実行させる同時録画か、前記選択された録画サブユニットに対し選択された順に録画を実行させる連続録画かの選択を受け付ける録画オプション選択ステップと、
前記選択された同時録画か連続録画かに応じてデータの伝送路を確立する伝送路確立ステップと、
を有することを特徴とする録画方法。
【発明の詳細な説明】
【０００１】
【発明の属する技術分野】
本発明は、複数のターゲット側機器と制御機器とが通信回線で接続された録画システムにおいて、制御機器（以下、コントローラ側機器という）から、操作対象となる録画機能をもった複数のターゲット側機器の録画サブユニットを制御する技術に関する。
【０００２】
【従来の技術】
複数のオーディオヴィジュアル（ＡＶ）機器を相互に接続するインタフェースとして、ＩＥＥＥ（Ｉｎｓｔｉｔｕｔｅ  Ｏｆ  Ｅｌｅｃｔｒｉｃａｌ  ＡｎｄＥｌｅｃｔｒｏｎｉｃｓ  Ｅｎｇｉｎｅｅｒｓ）１３９４準拠のデジタルシリアルインタフエースが知られている。
【０００３】
従来、このＩＥＥＥ１３９４準拠のデジタルシリアルインタフエースであるＩＥＥＥ１３９４シリアルバスにより複数のＡＶ機器が接続されているネットワーク上において、コントローラ側機器が操作対象（以下、ターゲット側機器という）となる録画機能をもった機器（以下、ターゲット側機器の録画サブユニットという）に対して録画を行いたい場合、グラフィカルユーザインターフェース（ＧＵＩ）アプリケーションを用いてターゲット側機器の録画サブユニットを選定し、録画操作を行うことができるようにしている。
【０００４】
具体的には、たとえば、図７に示すように、コントローラ側機器となるセットトップボックス（ＳＴＢ）１０１に、ターゲット側機器となるデジタルビデオデッキ３台（ここではＤ−ＶＨＳデッキ１０３、１０５、および１０７）が、通信回線となるＩＥＥＥ１３９４シリアルバス１１１により接続されたシステムにおいて、ＳＴＢ１０１から、ターゲット側機器の一つであるＤ−ＶＨＳデッキ１０３に対して録画操作を行う際には、図８に示すように、ＳＴＢ１０１のＧＵＩ画面１１３から、ユーザーがＩＥＥＥ１３９４シリアルバス１１１上に接続されている機器のサブユニット単位での接続機器一覧表から制御対象であるＤ−ＶＨＳデッキ１０３をリモコン等により選択する。
【０００５】
次に、ユーザーがＳＴＢ１０１の制御パネル１４５から録画ボタン１４５ｂを選択することにより、ＳＴＢ１０１とＤ−ＶＨＳデッキ１０３の間で接続が確立され、コントローラであるＳＴＢ１０１からターゲット側機器であるＤ−ＶＨＳデッキ１０３のテープレコーダープレイヤーサブユニット（以下、テープサブユニットという）に対して、ＡＶ／Ｃコマンドのなかの録画コマンドが送られＤ−ＶＨＳデッキ１０３において録画が開始される。
【０００６】
なお、制御パネル１４５には、録画ボタン１４５ｂの他に、停止ボタン１４５ａ、再生ボタン１４５ｃ、巻き戻しボタン１４５ｄ、および早送りボタン１４５ｅが表示されている。また、ＡＶ／Ｃコマンドとは、ＡＶ／Ｃ  ＤｉｇｉｔａｌＩｎｔｅｒｆａｃｅ  Ｃｏｍｍａｎｄ  Ｓｅｔ  Ｇｅｎｅｒａｌ  Ｓｐｅｃｉｆｉｃａｔｉｏｎに規定されているコマンドセットであり、ＩＥＥＥ１３９４インタフェース上で通信されるコマンドで、コマンドの送信、それに対応する応答は、ＩＥＥＥ１３９４の非同期ＷＲＩＴＥトランザクションに基づいて行われる。
【０００７】
このように、従来の録画システムでは、ＩＥＥＥ１３９４シリアルバス１１１上で、コントローラ側機器からターゲット側機器の録画サブユニットに対して、録画操作を行いたい場合、コントローラ側機器のアプリケーションにより実行することができる（特許文献１参照）。
【０００８】
【特許文献１】
特開２００１−１９５３４５号公報
【０００９】
【発明が解決しようとする課題】
このように複数の機器がネットワークにより接続された録画システムにおいては、今後、ＩＥＥＥ１３９４シリアルバス上にさらに複数の機器がつながり、一つの機器のなかに複数の録画機能をもったサブユニットが搭載されることが考えられる。そして、このような環境でコントローラ側機器から複数のサブユニットに対して同時に録画を行いたい場合、従来の録画システムでは、ユーザーがターゲット側機器をそれぞれ選択して、それぞれの録画サブユニットに対して録画を開始するといった手続きを行わなければならならない。また、録画媒体としてビデオカセットテープを用いるテープサブユニットの場合には、録画している最中にテープの残量がなくなった後、別のサブユニットに切り換えて録画を行う場合も、ユーザーが切り替え動作を行う必要が生じてくるため、ユーザーに対しての操作負荷が大きくなると考えられる。
【００１０】
本発明の目的は、コントローラ側機器から録画機能をもった複数のターゲット側機器の録画サブユニットに対して同時録画または連続録画の設定を行う場合に、ユーザーの負担を軽減し、操作を効率よく行うことのできる制御機器および録画方法を提供することにある。
【００１１】
【課題を解決するための手段】
上記目的を達成するため、請求項１の発明は、複数のターゲット側機器と通信回線で接続された制御機器において、前記複数のターゲット側機器に搭載されている録画サブユニットの一覧を画面上に表示する録画サブユニット表示手段と、前記録画サブユニット表示手段によって画面上に表示された前記録画サブユニットの一覧から操作対象となる録画サブユニットの選択を受け付ける録画サブユニット選択手段と、前記録画サブユニット選択手段を通じて選択された録画サブユニットに対し同時に録画を実行させる同時録画か、前記録画サブユニット選択手段を通じて選択された録画サブユニットに対し選択された順に録画を実行させる連続録画かの選択を受け付ける録画オプション選択手段と、前記録画サブユニット選択手段を通じて選択された同時録画か連続録画かに応じて録画サブユニットのデータの伝送路を確立する伝送路確立手段とを備えることを特徴とする。
【００１２】
好ましい形態として、前記伝送路確立手段は、前記同時録画が選択された場合には、前記録画サブユニット選択手段を通じて選択された録画サブユニットに対してデータの伝送路を確立し、また前記連続録画が選択された場合には、前記録画サブユニット選択手段を通じて最初に選択された録画サブユニットに対してデータの伝送路を確立して、当該最初に選択された録画サブユニットが録画不能となったときに前記録画サブユニット選択手段を通じて次に選択された録画サブユニットに対してデータの伝送路を確立する。
【００１３】
また、上記目的を達成するため、請求項２の発明は、複数のターゲット側機器と制御機器が通信回線で接続された録画システムにおける録画方法において、前記複数のターゲット側機器に搭載されている録画サブユニットの一覧を画面上に表示する録画サブユニット表示ステップと、前記表示された録画サブユニットの一覧から操作対象となる録画サブユニットの選択を受け付ける録画サブユニット選択ステップと、前記選択された録画サブユニットに対し同時に録画を実行させる同時録画か、前記選択された録画サブユニットに対し選択された順に録画を実行させる連続録画かの選択を受け付ける録画オプション選択ステップと、前記選択された同時録画か連続録画かに応じてデータの伝送路を確立する伝送路確立ステップとを有することを特徴とする。
【００１４】
好ましい形態として、前記伝送路確立ステップは、前記同時録画が選択された場合には、前記録画サブユニット選択ステップにおいて選択された録画サブユニットに対してデータの伝送路を確立するものであり、前記連続録画が選択された場合には、前記録画サブユニット選択ステップにおいて最初に選択された録画サブユニットに対してデータの伝送路を確立し、当該最初に選択された録画サブユニットが録画不能となったときに前記録画サブユニット選択ステップにおいて次に選択された録画サブユニットに対してデータの伝送路を確立する。
【００１５】
【発明の実施の形態】
以下、図面を参照して本発明の実施の形態を説明する。
【００１６】
図１は、本実施の形態に係わる録画システムの構成を示すブロック図である。また、図２（ａ）は、コントローラ側機器内部の機能構成を示すブロック図であり、図２（ｂ）は、ターゲット側機器内部の機能構成を示すブロック図である。なお、各図において同一機能を有する部分には同一の符号を付している。
【００１７】
この録画システム１０は、図１に示すように、コントローラ側機器であるＳＴＢ１に、ターゲット側機器としてＤ−ＶＨＳデッキ３と複合機５がＩＥＥＥ１３９４シリアルバス７により接続されたシステムである。
【００１８】
ここで、メインユニットであるコントローラ側機器としてのＳＴＢ１は、ＩＥＥＥ１３９４シリアルバス７により接続されているターゲット側機器を集中制御するとともに、たとえばチューナーサブユニット１１を搭載し、各ターゲット側機器に対してチューナーサブユニット１１が受信したテレビジョン信号などを画像および音声からなるストリームデータとしてターゲット側機器へ供給する。
【００１９】
Ｄ−ＶＨＳデッキ３はデジタルビデオテープデッキであり、テープサブユニット３１を搭載している。また、複合機５はデジタルビデオテープデッキとしての機能とハードディスクビデオデッキとしての機能を有する複合型のビデオデッキであり、ディスクサブユニット５１とテープサブユニット５２とを搭載している。
【００２０】
なお、このようなシステムはあくまでも本発明を適用した一例にすぎず、ターゲット側機器としてさらに様々な録画機器、たとえば、ＤＶＤレコーダーやハードディスクビデオデッキなどが接続されたものであってもよい。
【００２１】
ＳＴＢ１は、その機能として図２（ａ）に示すように、ＧＵＩ管理モジュール１５、アプリケーション１７、ミドルウェア全体制御部１９、およびＩＥＥＥ１３９４ドライバ２１とを有する。
【００２２】
一方、Ｄ−ＶＨＳデッキ３および複合機５は、その機能として図２（ｂ）に示すように（図においてはＤ−ＶＨＳデッキ３の内部機能を示すが、複合機５についても同様）、アプリケーション３７、ミドルウェア全体制御部３９、およびＩＥＥＥ１３９４ドライバ２１とを有する。
【００２３】
ここで、まず、ＳＴＢ１内各部の機能について説明する。
【００２４】
ＧＵＩ管理モジュール１５は、ＳＴＢ１が接続されている図示しないテレビモニターなどのディスプレイ上にＧＵＩ画面の表示を行い、ＧＵＩ画面内のボタン操作を管理する。
【００２５】
ＳＴＢ１内のアプリケーション１７は、ＳＴＢ１内の制御を行うとともに、接続されている各種機器（ここではＤ−ＶＨＳデッキ３および複合機５）を制御するためのソフトウエアである。
【００２６】
ＳＴＢ１内のミドルウェア全体制御部１９は、アイソクロナス（Ｉｓｏｃｈｒｏｎｏｕｓ）データ伝送を行うための伝送経路を確立するために、ＳＴＢ１〜Ｄ−ＶＨＳデッキ３間、ＳＴＢ１〜複合機５間といったユニット間の接続、さらには、Ｄ−ＶＨＳデッキ３〜テープサブユニット３１間、複合機５〜ディスクサブユニット５１間といったユニット〜サブユニット間の接続を設立するようにＩＥＥＥ１３９４ドライバ２１を制御する。
【００２７】
一方、Ｄ−ＶＨＳデッキ３および複合機５内のミドルウェア全体制御部３９は、Ｄ−ＶＨＳデッキ３〜テープサブユニット３１間、複合機５〜ディスクサブユニット５１間といったユニット〜サブユニット間の接続を設立する。
【００２８】
また、ＩＥＥＥ１３９４ドライバ２１は、ＳＴＢ１側も、Ｄ−ＶＨＳデッキ３および複合機５側も同様の機能であり、ＩＥＥＥ１３９４シリアルバス７により接続されている機器同士の通信を行う。
【００２９】
次に、上述のように構成された録画システム１０の動作を説明する。
【００３０】
まず、ＳＴＢ１が受信したストリームをＤ−ＶＨＳデッキ３のテープサブユニット３１と複合機５のディスクサブユニット５１に対して同時に録画を行う場合を例に挙げて説明する。
【００３１】
なお、以下に説明する動作は、おもにＳＴＢ１の図示しないＣＰＵにより制御されるものであり、それぞれの処理は、本実施の形態における録画サブユニット表示手段、録画サブユニット選択手段、録画オプション選択手段、伝送経路確立手段の機能として実行されている。また、これらの処理は図示しないメモリに保持された録画制御プログラムにしたがって実行される。この録画制御プログラムは、図３のフローに対応する、少なくとも録画サブユニット表示ステップ、録画サブユニット選択ステップ、録画オプション選択ステップ、伝送経路確立ステップを含むものである。
【００３２】
図３は、同時録画を行う場合の動作の流れを示すフローチャートである。
【００３３】
まず、ＳＴＢ１のアプリケーション１７が、ＳＴＢ１に接続されているターゲット側機器のサブユニットについての機器名や機種名等を、接続機器一覧表としてＧＵＩ管理モジュール１５に提供して、ＧＵＩ管理モジュール１５がＳＴＢ１に接続されているテレビモニターに接続機器一覧表をＧＵＩ画面として表示する（Ｓ１１）。図４に、ＧＵＩ画面の表示例を示す。
【００３４】
このＧＵＩ画面４０には、接続機器一覧表４１、録画オプション４３、および制御パネル４５が表示されている。接続機器一覧表４１は、各サブユニットごとに機器名（Ｄ−ＶＨＳ、複合機）、メーカー名（メーカーＡ、Ｂ）、機種名（機種名１、２）、媒体（テープ、ＨＤＤ）などが表示されている。録画オプション４３は、接続機器一覧表４１から選択した複数の録画サブユニットに対して同時に録画を指示するための同時録画ボタン４３ａと、接続機器一覧表４１から選択した複数の録画サブユニットに対して選択した順に連続して録画を指示するための連続録画ボタン４３ｂが表示されている。制御パネル４５は、停止ボタン４５ａ、録画ボタン４５ｂ、再生ボタン４５ｃ、巻き戻しボタン４５ｄ、および早送りボタン４５ｅが表示されている。
【００３５】
このように表示されたＧＵＩ画面４０上の接続機器一覧表４１から、ユーザーによって操作対象となる機器のサブユニットが選択される（Ｓ１２）。この例では、図４に示したように、Ｄ−ＶＨＳのテープサブユニット３１と複合機５のディスクサブユニット５１が選択されることになり、選択されたサブユニットには、選択された順に選択マーク４７ａおよび４７ｂが表示される。また、同じくＧＵＩ画面４０上に表示されている録画オプション４３から同時録画ボタン４３ａが選択され、続いて制御パネル４５から録画ボタン４５ｂが選択される（Ｓ１３）。
【００３６】
続いて、ＳＴＢ１内のボタン操作を管理するＧＵＩ管理モジュール１５は、ユーザーがＧＵＩ画面４０を通じて選択した情報、すなわち、録画を行うために選択されたサブユニットと、同時録画ボタン４３ａが選択されたことによる同時録画の指示、および録画ボタン４５ｂが選択されたことによる録画開始の指示を、アプリケーション１７を経由してミドルウェア全体制御部１９に送信する（Ｓ１４）。
【００３７】
続いて、ＳＴＢ１のミドルウェア全体制御部１９が、アイソクロナスデータ伝送を行うための伝送経路を確立するために、ＳＴＢ１のチューナーサブユニット１１とＤ−ＶＨＳデッキ３および複合機５間の接続、Ｄ−ＶＨＳデッキ３内におけるテープサブユニット３１との接続、および複合機５内におけるディスクサブユニット５１との接続を確立するように、ＩＥＥＥ１３９４ドライバ２１に指示する。これにより、ＳＴＢ１のチューナーサブユニット１１と各サブユニットとの間にポイントツーポイントによる接続が確立される（Ｓ１５）。
【００３８】
続いて、ＳＴＢ１のアプリケーション１７がＩＥＥＥ１３９４ドライバ２１を介してターゲット側機器のそれぞれのサブユニットに対し、ＡＶ／Ｃコマンドの録画（ＲＥＣＯＲＤ）コマンドを送信する（Ｓ１６）。
【００３９】
これにより、ターゲット側機器のそれぞれのサブユニットは、録画コマンドを受け取ることで録画を開始して、録画を開始したことをＳＴＢ１へ通知する。そして、ＳＴＢ１は録画開始の通知を受けて、チューナーサブユニット１１から画像および音声のストリームデータを送信する（Ｓ１７）。
【００４０】
これにより、ターゲット側機器の各サブユニット（ここではＤ−ＶＨＳデッキ３内のテープサブユニット３１と複合機５内のディスクサブユニット５１）が、それぞれ同じストリームデータを録画することになる。
【００４１】
以上のように本実施の形態によれば、従来の方法ではＤ−ＶＨＳデッキ３のテープサブユニット３１を選択して録画し、次に複合機５のディスクサブユニット５１を選択して録画するといったユーザーによる個々の操作が必要であった複数機器への録画が、初めにＧＵＩ画面４０から複数のサブユニットを選択し、録画オプション４３から同時録画４３ａを選択して、制御パネル４５の録画ボタン４５ｂを押すだけで、複数のサブユニットに対する伝送経路が確立され、Ｄ−ＶＨＳデッキ３のテープサブユニット３１と複合機５のディスクサブユニット５１に対してストリームデータを伝送し、同時録画することが可能となる。
【００４２】
なお、ここではＤ−ＶＨＳデッキ３のテープサブユニット３１と複合機５のディスクサブユニット５１に対して同時に録画を行う場合を例に挙げて説明したが、複合機が複数のディスクサブユニットあるいはテープサブユニットで構成されていてもよい。また、同じ機器内の複数サブユニットに対して同時に録画を行う場合でも、まったく同じように同時録画が可能となる。さらには、ＳＴＢ１がバス上に接続されていると認識しているサブユニットのうち２つ以上のサブユニットに対して同時に録画を行う場合も同じように同時に録画を行うことが可能となる。
【００４３】
次に、本実施の形態における録画システム１０により、ＳＴＢ１からターゲット側機器のある一つのテープサブユニット３１に録画し、そのテープサブユニット３１のテープ残量が少なくなったときに別のテープサブユニット５２またはディスクサブユニット５１に切り換えて引き続き録画を行う場合を例に説明する。なお、このような録画形態をここでは連続録画と称する。
【００４４】
ここでは、ＳＴＢ１が受信したストリームを初めに複合機５のテープサブユニット５２に録画を行い、引き続き複合機５のディスクサブユニット５１に録画を行う場合を例に挙げて説明する。
【００４５】
なお、以下に説明する動作は、おもにＳＴＢ１の図示しないＣＰＵにより制御されるものであり、それぞれの処理は、本実施の形態における録画サブユニット表示手段、録画サブユニット選択手段、録画オプション選択手段、伝送経路確立手段の機能として実行されている。また、これらの処理は図示しないメモリに保持された録画制御プログラムにしたがって実行される。この録画制御プログラムは、図３のフローに対応する、少なくとも録画サブユニット表示ステップ、録画サブユニット選択ステップ、録画オプション選択ステップ、伝送経路確立ステップを含むものである。
【００４６】
図５は、連続録画を行う場合の動作の流れを示すフローチャートである。
【００４７】
まず、ＳＴＢ１のアプリケーション１７が、接続機器一覧をＧＵＩ管理モジュール１５に提供して、ＧＵＩ管理モジュール１５が接続機器一覧をＧＵＩ画面４０上に表示する（Ｓ２１）。図６に、ＧＵＩ画面の表示例を示す。
【００４８】
このＧＵＩ画面４０には、図５と同様に、接続機器一覧表４１、録画オプション４３、および制御パネル４５が表示される。
【００４９】
そして、表示されたＧＵＩ画面４０上の接続機器一覧表４１から、ユーザーによって操作対象となる機器のサブユニットが選択される（Ｓ２２）。この例では、図６に示したように、複合機５のディスクサブユニット５１と複合機５のテープサブユニット５２が選択されることになり、選択されたサブユニットには、選択された順に選択マーク４７ａおよび４７ｂが表示される。また、同じくＧＵＩ画面４０上に表示されている録画オプション４３から連続録画ボタン４３ｂが選択され、続いて制御パネル４５から録画ボタン４５ｂが選択される（Ｓ２３）。
【００５０】
続いて、ＳＴＢ１内のボタン操作を管理するＧＵＩ管理モジュール１５は、ユーザーがＧＵＩ画面４０から選択した情報、すなわち、録画を行うために選択されたサブユニットと、連続録画ボタン４３ｂが選択されたことによる連続録画の指示、および録画ボタン４５ｂが選択されたことによる録画開始の指示を、アプリケーション１７を経由してミドルウェア全体制御部１９に送信する（Ｓ２４）。
【００５１】
続いて、ＳＴＢ１のミドルウェア全体制御部１９が、連続録画する最初のサブユニット（ここでは複合機５内のテープサブユニット５２）とアイソクロナスデータ伝送を行うための伝送経路を確立するために、ＳＴＢ１のチューナーサブユニット１１と複合機５間の接続、および複合機５内におけるテープサブユニット５２と接続するように、ＩＥＥＥ１３９４ドライバ２１に指示する。これにより、ＳＴＢ１のチューナーサブユニット１１と複合機５のテープサブユニット５２との間にポイントツーポイントの接続が確立される（Ｓ２５）。
【００５２】
続いて、ＳＴＢ１のアプリケーション１７がＩＥＥＥ１３９４ドライバ２１を介して複合機５のテープサブユニット５２に対し、ＡＶ／Ｃコマンドの録画（ＲＥＣＯＲＤ）コマンドを送信する（Ｓ２６）。
【００５３】
これにより、複合機５のテープサブユニット５２は、録画コマンドを受け取ることで録画を開始して、録画を開始したことをＳＴＢ１へ通知する。そして、ＳＴＢ１は録画開始の通知を受けて、チューナーサブユニット１１から画像および音声のストリームデータを送信する（Ｓ２７）。
【００５４】
これにより複合機５のテープサブユニット５２において録画が開始される。その後、複合機５はテープサブユニット５２においてこれ以上録画できないことを（録画不能）示す情報として、テープ残量がなくなる前にテープエンドの信号をＳＴＢ１に通知する。なお、ここでは録画不能の情報としてテープエンドの信号としたが、たとえば、最初に録画を行ったサブユニットがディスクサブユニット５１の場合は、ディスク容量が一杯になったことを示す情報が録画不能の情報としてＳＴＢ１へ送信されることになる。
【００５５】
これにより、ＳＴＢ１のミドルウェア全体制御部１９は、複合機５から録画不能である旨の情報としてテープエンドの通知を受信する（Ｓ２８：Ｙｅｓ）。
【００５６】
このテープエンドの通知を受信すると、ＳＴＢ１のミドルウェア全体制御部１９は、連続録画する次のサブユニットであるディスクサブユニット５１にアイロクロナスデータ伝送を行うための伝送経路を確立するために、複合機５〜ディスクサブユニット５１間の接続を設立するようＩＥＥＥ１３９４ドライバ２１に指示する。これにより、ＳＴＢ１のチューナーサブユニット１１と複合機５のディスクサブユニット５１との間にポイントツーポイントの接続が確立される（Ｓ２９）。
【００５７】
続いて、ＳＴＢ１のアプリケーション１７がＩＥＥＥ１３９４ドライバ２１を介して複合機５のディスクサブユニット５１に対してＡＶ／Ｃコマンドの録画（ＲＥＣＯＲＤ）コマンドを送信する（Ｓ３０）。これにより、複合機５のディスクサブユニット５１は、録画コマンドを受け取ることで録画を開始して、録画を開始したことをＳＴＢ１へ通知する。このとき、ＳＴＢ１のチューナーサブユニット１１からはストリームデータが送信されたままとなっており、複合機５のディスクサブユニット５１は確立された接続にしたがってストリームデータを受け取り、そのストリームデータを録画することになる。
【００５８】
続いて、ＳＴＢ１のミドルウェア全体制御部１９は、ＩＥＥＥ１３９４ドライバ２１に対して、複合機５〜テープサブユニット５２（連続録画する最初のサブユニット）間の接続を破棄するように指示し、複合機５〜テープサブユニット５２間の接続を遮断する（Ｓ３１）。なお、ＳＴＢ１から複合機５までの接続はそのままである。また、複合機５のテープサブユニット５２においては、テープ残量が完全になくなった時点で自動停止となる。
【００５９】
このように本実施の形態による録画システム１０によれば、従来は録画先をテープサブユニット５２からディスクサブユニット５１に切り換える際に、ユーザーによる切り替え操作が必要であったものが、初めにＧＵＩ画面４０から複数のサブユニットを選択し、録画オプション４３から連続録画４３ｂを選択して、制御パネルの録画ボタン４５ｂを押すだけで、複合機５のテープサブユニット５２からディスクサブユニット５１へと自動的に切り換えて連続録画することが可能となる。
【００６０】
なお、ここでは、複合機５のテープサブユニット５２とディスクサブユニット５１に対して連続録画を行う場合を例に挙げて説明したが、複合機５がさらに複数のディスクサブユニット５１あるいはテープサブユニット５２で構成されていてる場合でも同様に連続録画を行うことが可能となる。
【００６１】
また、あるターゲット側機器内のサブユニットから別のターゲット側機器内のサブユニットに対して連続録画を行う場合でも同様であり、さらには、ＳＴＢ１がバス上に接続されていると認識しているサブユニットのうち２つ以上のサブユニットに対して連続して録画を行う場合もまったく同じように連続録画を行うことが可能となる。
【００６２】
【発明の効果】
以上説明したように、本発明によれば、ＩＥＥＥ１３９４シリアルバス上につながったコントローラ側の機器からターゲット側機器内の複数の録画サブユニットに対して同時録画または連続録画を行う場合に、操作対象機器を同時に複数選択し、録画オプションを選ぶことにより、簡単に動じ録画や連続録画が実行できるため、録画時におけるユーザーの負担を軽減して、操作を効率良く行うことができるようになる。
【図面の簡単な説明】
【図１】実施の形態係わる録画システムの構成を示すブロック図。
【図２】（ａ）はコントローラ側機器内部の機能構成を示すブロック図、（ｂ）はターゲット側機器内部の機能構成を示すブロック図。
【図３】同時録画を行う場合の動作の流れを示すフローチャート。
【図４】ＧＵＩ画面の表示例を示す説明図。
【図５】連続録画を行う場合の動作の流れを示すフローチャート。
【図６】ＧＵＩ画面の表示例を示す説明図。
【図７】従来の録画システムの構成を示すブロック図。
【図８】従来のＧＵＩ画面の表示例を示す説明図。
【符号の説明】
１、１０１  ＳＴＢ
３、１０３  Ｄ−ＶＨＳデッキ
５  複合機
７、１１１  ＩＥＥＥ１３９４シリアルバス
１５  ＧＵＩ管理モジュール
１７、３７  アプリケーション
１９、３９  ミドルウェア全体制御部
２１  ＩＥＥＥ１３９４ドライバ
３１、５２  テープサブユニット
４０  ＧＵＩ画面
４１  接続機器一覧表
４３  録画オプション
４５  制御パネル
５１  ディスクサブユニット
【図１】
2004222057.tif 000003
【図２】
2004222057.tif 000004
【図３】
2004222057.tif 000005
【図４】
2004222057.tif 000006
【図５】
2004222057.tif 000007
【図６】
2004222057.tif 000008
【図７】
2004222057.tif 000009
【図８】
2004222057.tif 000010